(57)【要約】【課題】不用意なコピーを防止できるようにする。【解決手段】記録装置は、第一の記録媒体に記録された画像データを第二の記録媒体に記録する手段と、記録媒体がパスワード保護されているか判定する手段と、記録媒体へのアクセスがロック設定されているか判定する手段と、ロック設定されている記録媒体へのパスワード送信によるロック解除手段とを有し、第一の記録媒体と第二の記録媒体のパスワード保護設定およびロック設定に差異がある場合に、警告を通知する。【選択図】図１
2018025835.tif 000002
【特許請求の範囲】
【請求項１】
第一の記録媒体に記録された画像データを第二の記録媒体に記録する手段と、
記録媒体がパスワード保護されているか判定する手段と、
記録媒体へのアクセスがロック設定されているか判定する手段と、
ロック設定されている記録媒体へのパスワード送信によるロック解除手段と
を有し、
第一の記録媒体と第二の記録媒体のパスワード保護設定およびロック設定に差異がある場合に、警告を通知することを特徴とする記録装置。
【請求項２】
パスワード保護されている第一の記録媒体に記録された画像データをパスワード保護されていない第二の記録媒体に記録する際に、パスワード保護されている記録媒体内の画像データをパスワード保護されていない記録媒体に記録する旨の警告を通知して記録処理を許可することを特徴とする請求項１に記載の記録装置。
【請求項３】
パスワード保護されていない第一の記録媒体に記録された画像データをパスワード保護されている第二の記録媒体に記録する際に、パスワード保護されていない記録媒体内の画像データをパスワード保護されている記録媒体に記録する旨の警告を通知して記録処理を許可することを特徴とする請求項１に記載の記録装置。
【請求項４】
第一の記録媒体と第二の記録媒体のパスワード保護設定が異なる場合に、パスワード保護設定が異なる旨の警告を通知して記録処理を禁止することを特徴とする請求項１に記載の記録装置。
【請求項５】
記録媒体にパスワード保護を設定する手段をさらに有し、
パスワード保護されている第一の記録媒体に記録された画像データをパスワード保護されていない第二の記録媒体に記録する際に、第二の記録媒体にパスワード保護を設定することを特徴とする請求項１に記載の記録装置。
【請求項６】
記録媒体のパスワード保護を解除する手段をさらに有し、
パスワード保護されていない第一の記録媒体に記録された画像データをパスワード保護されている第二の記録媒体に記録する際に、第二の記録媒体のパスワード保護を解除することを特徴とする請求項１に記載の記録装置。
【発明の詳細な説明】
【技術分野】
【０００１】
本発明は、一方の記録媒体に記録された画像データを他方の記録媒体にコピーする機能を備えた記録装置において、使用者が保護したいと考えている画像データを不用意にセキュリティ保護していない記録媒体へコピーすることを防止できる記録装置に関する。
【背景技術】
【０００２】
従来、画像データを撮影して記録媒体に記録し、記録した画像データを別の記録媒体にコピーする機能を有した記録装置が知られている。これらの記録装置は、コピーを実行する前にコピー先記録媒体の容量に十分な空きがあるかなどの判定を行うのが一般的である。
【０００３】
一方で、装着した記録媒体にパスワードとともにロック設定を行い、ロック設定した記録媒体にはアクセスできないようなセキュリティ保護機能をもつ記録装置も提案されている（特許文献１）。これらの記録装置でロック設定された記録媒体にアクセスしたい場合は、パスワードを用いて一時的にロック解除する方法が一般的である。
【先行技術文献】
【特許文献】
【０００４】
【特許文献１】特開２０１０−２２４９０５号公報
【発明の概要】
【発明が解決しようとする課題】
【０００５】
しかしながら、前述の特許文献１では、一時的にロック設定された記録媒体からロック設定されていない記録媒体に画像データをコピーする際の制御については特に情報が開示されていない。
【０００６】
このため、セキュリティ保護された記録媒体に記録されている、使用者が保護したいと考えている画像データを、セキュリティ保護していない記録媒体にコピーする際に、使用者がそのことを認識できないまま不用意にコピーしてしまうという課題があった。
【０００７】
そこで、本発明は、２つの記録媒体のパスワード設定状態とロック設定状態に応じてメッセージの通知やコピー可否判定を行うことで、使用者が保護したいと考えている画像データをセキュリティ保護していないカードにコピーすることを使用者に対して通知することができ、不用意なコピーを防止することができる記録装置を提示することを目的とする。
【課題を解決するための手段】
【０００８】
本発明に係る記録装置は、第一の記録媒体に記録された画像データを第二の記録媒体に記録する手段と、記録媒体がパスワード保護されているか判定する手段と、記録媒体へのアクセスがロック設定されているか判定する手段と、ロック設定されている記録媒体へのパスワード送信によるロック解除手段とを有し、第一の記録媒体と第二の記録媒体のパスワード保護設定およびロック設定に差異がある場合に、警告を通知することを特徴とする。
【発明の効果】
【０００９】
本発明によれば、一方の記録媒体に記録された画像データを他方の記録媒体にコピーする機能を備えた記録装置において、使用者が保護したいと考えている画像データを不用意にセキュリティ保護していない記録媒体へコピーすることを防止することができる。
【図面の簡単な説明】
【００１０】
【図１】第１の実施形態及び他の実施形態に係る記録装置の構成の一例を説明するためのブロック図である。
【図２Ａ】セキュリティモード遷移時に行われる処理の一例を説明するためのフローチャートである。
【図２Ｂ】セキュリティモード遷移時に行われる処理の一例を説明するためのフローチャートである。
【図２Ｃ】カード装着時に行われる処理の一例を説明するためのフローチャートである。
【図２Ｄ】パスワード設定時に行われる処理の一例を説明するためのフローチャートである。
【図２Ｅ】パスワード解除時に行われる処理の一例を説明するためのフローチャートである。
【図３Ａ】第１の実施形態におけるコピー制御を説明するためのフローチャートである。
【図３Ｂ】第１の実施形態におけるセキュリティ判定を説明するためのフローチャートである。
【図４】第１の実施形態におけるセキュリティ判定を説明するための動作表である。
【図５】第２の実施形態におけるセキュリティ判定を説明するためのフローチャートである。
【図６】第２の実施形態におけるセキュリティ判定を説明するための動作表である。
【図７】第３の実施形態におけるセキュリティ判定を説明するためのフローチャートである。
【図８】第３の実施形態におけるセキュリティ判定を説明するための動作表である。
【発明を実施するための形態】
【００１１】
以下、図面を参照して本発明の実施形態を説明する。ただし、本発明は以下の実施形態に限定されるものではない。
【００１２】
［第１の実施形態］
図１は、第１の実施形態及び他の実施形態に係る記録装置の構成の一例を説明するブロック図である。第１の実施形態及び他の実施形態に係る記録装置は、例えば、撮像装置として動作することができる。
【００１３】
制御部１０１はマイクロコンピュータを有し、プログラムや記憶部１０４の情報、操作制御部１０６からの情報などに従って記録装置の各部を制御する。制御部１０１はセキュリティ制御部１０２とコピー制御部１０３とトランスコード制御部１１３を備えている。セキュリティ制御部１０２は、記録媒体制御部１０９を通じて記録媒体Ａ１１０および記録媒体Ｂ１１１へのパスワード設定／解除やロック設定／解除を行う。コピー制御部１０３は、記録媒体制御部１０９を通じて記録媒体Ａ１１０および記録媒体Ｂ１１１間の画像データなどのコピー制御を行う。トランスコード制御部１１３は記録媒体制御部１０９を通じて記録媒体Ａ１１０および記録媒体Ｂ１１１間の画像データなどのトランスコード制御を行う。
【００１４】
記憶部１０４は、記録媒体Ａ１１０および記録媒体Ｂ１１１における管理情報や、記録装置のセキュリティモード設定、記録装置の動作モード、パスワード、記録媒体毎のロック設定状態、記録媒体毎のパスワード設定状態等の情報を記憶する。
【００１５】
操作部１０５は、電源スイッチ、メニュー画面を操作するためのスイッチ等を備える。スイッチは物理的なボタンやタッチパネルなどの表示部１０７上に表示されるボタンやつまみでも良い。操作制御部１０６は、操作部１０５からの指示に応じて制御部１０１に操作情報を通知する。
【００１６】
表示部１０７は液晶パネルなどを備え、メニュー画面等の情報や、メッセージ表示などを表示する。表示制御部１０８は、制御部１０１からの情報によりメニュー画面等の情報や、メッセージ表示などを表示部１０７に表示する。
【００１７】
記録媒体制御部１０９は、記録媒体Ａ１１０および記録媒体Ｂ１１１（以下、記録媒体およびカードと呼ぶ）とコマンド送受信を行い、記録媒体の認識や記録媒体へのパスワード設定／解除やロック設定／解除などを行う。さらに、記録媒体に画像データを記録したり、記録媒体から画像データを読み出す制御を行う。また、記録媒体制御部１０９は、ＦＡＴファイルシステム等の公知のファイルシステムに従い、記録媒体に記録する各種のデータをファイルとして管理する。
【００１８】
記録媒体Ａ１１０および記録媒体Ｂ１１１は、フラッシュメモリカード等のランダムアクセス可能な記録媒体である。記録媒体Ａ１１０および記録媒体Ｂ１１１は、不図示の装着排出機構により記録装置に着脱自在である。
【００１９】
データバス１１２は、各部の間でデータやコマンドを送受信する。
【００２０】
以降に、記録装置の具体的な動作を説明していく。セキュリティモードの切り替え、カード装着時の動作、パスワードの設定解除、コピー時の制御の順に説明していく。
【００２１】
まず、記録装置はセキュリティモードという動作モードを備え、メニューによりセキュリティモードＯＦＦ／ＯＮを切り替えることができる。セキュリティモードＯＦＦの場合はロック設定されたカードに対してロック解除処理を行わず、セキュリティモードＯＮの場合はロック設定されたカードに対してロック解除処理を行う。
【００２２】
また、セキュリティモードＯＦＦからＯＮに遷移する際にユーザーにパスワードの入力を要求し、入力されたパスワードは記憶部１０４に記憶しておく。ここで記憶されたパスワードは、セキュリティモードＯＮからＯＦＦへの遷移時に照合のために使用したり、記録媒体へのパスワード設定／解除時および記録媒体へのロック解除時に使用する。また、セキュリティモードＯＮ／ＯＦＦの情報も記憶部１０４に記憶しておく。カードに設定するパスワードにルールがある場合には、ここでそのルールに則ったパスワードであるかチェックしても良い。ルールとは、パスワードに指定できる文字であること、最小パスワード長以上であること、最大パスワード長以下であることなどである。
【００２３】
さらに、セキュリティモードＯＮからＯＦＦに遷移する際もユーザーにパスワードの入力を要求し、記憶部１０４に記憶されているパスワードと合致した場合にセキュリティモードＯＦＦへ遷移する。これは、セキュリティモードをＯＮに遷移させたユーザー以外が、セキュリティモードをＯＦＦに遷移させないようにするためである。
【００２４】
ここで、図２Ａを参照し、セキュリティモードをＯＮからＯＦＦに切り替える際のシーケンスを説明する。まず、セキュリティモードＯＦＦからＯＮに遷移する際にパスワードの入力を要求する（処理２０１）。パスワードが入力されたらセキュリティモードＯＮに遷移させる（処理２０２）。
【００２５】
次に、図２Ｂを参照し、セキュリティモードＯＦＦからＯＮに遷移する際にパスワードの入力を要求する（処理２１１）。そして入力されたパスワードとすでに記憶しているパスワードを比較し（処理２１２）、合致した場合にはセキュリティモードＯＦＦに遷移させ（処理２１３）、合致しなかった場合にはセキュリティモードＯＮのままとする（処理２１４）。
【００２６】
次に、記録装置にカードが装着された際の動作を説明する。前提条件として、カードは自身にパスワードが設定されていた場合に、記録装置から明示的にロック設定処理を行うことなく、自動的に自身をロック設定済状態とするものとする。
【００２７】
まず、カードが装着されたらカードのロック設定状態を取得する。ここでは、記録装置−カード間の電気的な信号のやり取りにおいて、記録装置からカードに対してコマンドを送信し、その応答にカードのロック設定状態の情報が含まれているものとする。この際、カードがロック設定済状態であった場合にはパスワード設定済という情報を、カードがロック未設定状態であった場合にはパスワード未設定という情報をカード情報と紐付けて記憶部１０４に記憶しておく。カード情報とは、その記録装置のカードスロットナンバーでも良いし、カード毎に一意のＩＤでも良い。
【００２８】
カードがロック未設定状態の場合はカードへのアクセスが可能と判定する。カードへのアクセスが可能と判定した場合には、カードの認識を行うためのイニシャルシーケンスやファイルシステムの解析、画像データを記録するためのファイル解析や管理情報の読み込みや書き込みなどを行う。
【００２９】
反対にカードへのアクセスが不可能と判定した場合には、以降のイニシャルシーケンスやカードへの読み込み／書き込み／消去処理を行わない。
【００３０】
カードがロック設定済状態の場合は記録装置のセキュリティモードのＯＮ／ＯＦＦによって動作が異なる。セキュリティモードＯＮの場合には、記憶部１０４に記憶されているパスワードとともにロック解除処理を行う。ここでは、記録装置−カード間の電気的な信号のやり取りにおいて、記録装置からパスワードを含んだロック解除コマンドを送信する。このロック解除コマンドを受信したカードは、カードの記憶しているパスワードと記録装置から受信したパスワードが合致していた場合に内部状態をロック未設定状態とし、パスワードが不一致の場合に内部状態をロック設定済状態のままとする。
【００３１】
ロック解除処理によってカードのロックが解除されたかどうかは、前述のカードのロック設定状態の取得処理を再度行うことにより判定する。ロックが解除された場合は、カードへのアクセスが可能と判定する。ロック解除されない場合は、カードへのアクセスが不可と判定する。その際には、「パスワードが異なります」などのロック解除を試みたが失敗したという旨のメッセージを通知しても良い。
【００３２】
セキュリティモードＯＦＦの場合には、カードへのアクセスが不可と判定する。その際には、「カードを確認してください」などロック解除には言及しない汎用的な内容のメッセージを通知しても良い。
【００３３】
カードのロック設定状態を記憶部１０４に記憶しておき、後の処理で参照する。
【００３４】
ここで、図２Ｃを参照し、記録装置にカードが装着された際のシーケンスを説明する。まず、カードのロック設定状態を取得し（処理２２１）、ロック設定済状態の場合はセキュリティモードの判定（処理２２２）へ遷移し、ロック未設定状態の場合は記録媒体へアクセス可能（処理２２７）と判定して処理を終了する。
【００３５】
セキュリティモードの判定（処理２２２）で、セキュリティモードＯＮの場合はロック解除処理（処理２２３）へ遷移し、セキュリティモードＯＦＦの場合は記録媒体へアクセス不可能（処理２２６）と判定して処理を終了する。
【００３６】
ロック解除処理（処理２２３）の後にロック設定状態を取得し（処理２２４）、ロック未設定状態の場合は記録媒体へアクセス可能（処理２２５）と判定して処理を終了する。ロック設定済状態の場合は記録媒体へアクセス不可能（処理２２６）と判定して処理を終了する。
【００３７】
次に、カードへのパスワード設定／解除について説明する。カードへのパスワード設定／解除は、セキュリティモードＯＮの場合にメニューにより行う。セキュリティモードＯＦＦの場合はカードへのパスワード設定／解除メニューが有効化されない。
【００３８】
また、パスワード設定はパスワード未設定状態のカードにしか行えない。パスワード設定済状態のカードに対して別のパスワードを設定することはできず、その場合はいったんパスワード解除を行い、別のパスワードでセキュリティモードＯＮに入り直してからパスワード設定を行う。同様にパスワード未設定状態のカードへのパスワード解除は行えない。
【００３９】
カードに設定するパスワードおよび解除に使用するパスワードは、セキュリティモードＯＦＦ→ＯＮ時に記憶部１０４に記憶したパスワードを用いる。
カードがパスワード設定済状態かパスワード未設定状態かは、カード装着時に記憶部１０４にカード情報と紐付けて記憶されている情報をもとに判定する。
【００４０】
パスワードの設定処理は、記録装置−カード間の電気的な信号のやり取りにおいて、記録装置からパスワードを含んだパスワード設定コマンドを送信する。このパスワード設定コマンドを受信したカードは、カード内部に受信したパスワードを記憶する。ただし、パスワード設定されただけではロック設定済状態とはならず、ロック未設定状態のままである。また、なんらかの原因によりパスワード設定に失敗した場合には、カードの状態を通知する際に「パスワード設定解除失敗」という情報を通知する。
【００４１】
パスワード設定処理において「パスワード設定解除失敗」を通知された記録装置は、「パスワード設定に失敗しました」などのメッセージを表示する。パスワード設定に成功した場合はパスワード設定済という情報を、パスワード設定に失敗した場合はパスワード未設定という情報をカード情報と紐付けて記憶部１０４に記憶しておく。
【００４２】
パスワード解除処理は、記録装置−カード間の電気的な信号のやり取りにおいて、記録装置からパスワードを含んだパスワード解除コマンドを送信する。このパスワード解除コマンドを受信したカードは、カードの記憶しているパスワードと記録装置から受信したパスワードが合致していた場合に内部に記憶しているパスワードを消去する。パスワードが不一致の場合にはパスワードを消去せず、カードの状態を通知する際に「パスワード設定解除失敗」という情報を通知する。パスワード解除処理において「パスワード設定解除失敗」を通知された記録装置は、「パスワード解除に失敗しました」などのメッセージを表示する。
【００４３】
本実施形態では、パスワードが一致する場合にはすでにカード装着時の処理においてロック未設定状態であるし、パスワードが不一致の場合にはすでにカード装着時の処理においてロック設定済状態であるため、パスワード解除処理によってカードのロック設定状態が変わることはない。パスワード解除に成功した場合はパスワード未設定という情報を、パスワード解除に失敗した場合はパスワード設定済という情報をカード情報と紐付けて記憶部１０４に記憶しておく。
【００４４】
ここで、図２Ｄ及び図２Ｅを参照し、カードへのパスワード設定／解除の際のシーケンスを説明する。
【００４５】
パスワード設定シーケンスでは、まず当該カードがパスワード設定済状態か判定し（処理２３１）、パスワード未設定状態の場合はパスワード設定処理（処理２３２）へ遷移し、パスワード設定済状態の場合は処理を終了する。パスワード設定処理（処理２３２）後に、カードから通知された情報を参照してパスワード設定に成功したか判定する（処理２３３）。パスワード設定に成功した場合は処理を終了し、パスワード設定に失敗した場合はメッセージ通知を行う（処理２３４）。
【００４６】
パスワード解除シーケンスでは、まず当該カードがパスワード設定済状態か判定し（処理２４１）、パスワード設定済状態の場合はパスワード解除処理（処理２４２）へ遷移し、パスワード未設定状態の場合は処理を終了する。パスワード解除処理（処理２４２）後に、カードから通知された情報を参照してパスワード解除に成功したか判定する（処理２４３）。パスワード解除に成功した場合は処理を終了し、パスワード解除に失敗した場合はメッセージ通知を行う（処理２４４）。
【００４７】
次に、コピー時の制御について説明する。まず、一方のカードに記録された画像データを他方のカードにコピーする際の制御を説明する上で、２つのカードを区別するためにコピー対象の画像データを記憶しているカードをコピー元カード、その画像データをコピーするカードをコピー先カードと呼ぶ。
【００４８】
ここで行うコピー処理は、コピー元カードのファイルシステムにもとづいて読み出した画像データをコピー先カードのファイルシステムにもとづいて書きこむ処理であり、公知の技術により実現される。また、コピー前判定として、コピー先カードの誤消去防止スイッチがＯＮされていないか、コピー先カードがリードオンリーとなっていないか、コピーの結果画像データの規格上限を超えないか、コピー先カードの容量が十分であるか、コピー対象の画像データがコピー可能かどうかなどの判定処理も、公知の技術により実現される。
【００４９】
本実施形態のポイントは、２つのカードのパスワード設定状態、ロック設定状態に応じてコピー可否の判定とメッセージ通知を行うことである。パスワード設定状態およびロック設定状態は前述の記憶部１０４を参照して取得する。
【００５０】
ここで、図３Ａを参照し、コピー時の制御について説明する。
【００５１】
まず、ユーザーによりコピー指示された場合に後述のセキュリティ判定を行う（処理３０１）。判定の結果（処理３０２）、コピー可能と判定した場合にはコピー前判定（処理３０３）に遷移し、コピー不可と判定した場合には処理を終了する。前述のコピー前判定（処理３０３）の結果（処理３０４）、コピー可能と判定した場合にはコピー処理（処理３０５）を行って処理を終了し、コピー不可と判定した場合には処理を終了する。
【００５２】
次に、図３Ｂを参照し、セキュリティ判定の詳細を説明する。まず、コピー元カードおよびコピー先カードのいずれかが「パスワード設定済状態かつロック設定済状態」の場合（判定３１１）に、「コピーできません」というメッセージを通知し（処理３１５）、コピー不可と判定する（処理３１６）。
【００５３】
次に、コピー元カードとコピー先カードのパスワード設定状態とロック設定状態が同じ場合（判定３１２）に、特にメッセージを通知せず（処理３１７）、コピー可能と判定する（処理３１８）。次に、コピー元カードが「パスワード設定済状態かつロック未設定状態」の場合（判定３１３）に、「セキュリティ未保護のカードにコピーします」というメッセージを通知し（処理３１９）、コピー可能と判定する（処理３２０）。次に、コピー先カードが「パスワード設定済状態かつロック未設定状態」の場合（判定３１４）に、「セキュリティ保護されたカードにコピーします」というメッセージを通知し（処理３１２）、コピー可能と判定する（処理３２２）。
【００５４】
上記のセキュリティ判定の詳細を図で表すと図４のように表わされる。また、いままでコピー機能について説明を行ってきたが、一方のカードに記録された画像データを一度復号化して、他の画像データの重畳や符号化量の変更を行いながら再度符号化して他方のカードに記録するトランスコード機能についても同様にトランスコード可否の判定とメッセージ通知を行う。その際は、コピー機能における「コピーできません」通知は「トランスコードできません」通知となる。他の通知も同様である。
【００５５】
このように、本実施形態では、一方のカードに記録された画像データを他方のカードにコピー／トランスコードする際に、２つのカードのパスワード設定状態とロック設定状態に応じてメッセージの通知やコピー／トランスコード可否判定を行う。
【００５６】
具体的には、コピー元／トランスコード元カードがパスワード設定済状態かつロック未設定状態で、コピー先／トランスコード先カードがパスワード未設定状態かつロック未設定状態の場合に「セキュリティ保護していないカードにコピー／トランスコードします」とメッセージ通知してコピー／トランスコード可能と判定する。これにより、使用者が保護したいと考えている画像データをセキュリティ保護していないカードにコピー／トランスコードすることを使用者に対して通知することができ、不用意にコピー／トランスコードすることを防止することができる。
【００５７】
［第２の実施形態］
次に、第２の実施形態を説明する。第１の実施形態ではコピー元／トランスコード元カードがパスワード設定済状態かつロック未設定状態で、コピー先／トランスコード先カードがパスワード未設定状態かつロック未設定状態の場合に「セキュリティ保護していないカードにコピー／トランスコードします」とメッセージ通知してコピー／トランスコード可能と判定していたが、第２の実施形態ではコピー元／トランスコード元カードがパスワード設定済状態かつロック未設定状態で、コピー先／トランスコード先カードがパスワード未設定状態かつロック未設定状態の場合に「セキュリティ設定が異なるためコピー／トランスコードできません」とメッセージ通知してコピー／トランスコード不可と判定する。各説明において、第１の実施形態と同様の箇所の説明は省略する。
【００５８】
第２の実施形態に係る記録装置の構成は、第１の実施形態に係る記録装置の構成と同一であるため、その説明を省略する。
【００５９】
以降に、記録装置の具体的な動作を説明していく。セキュリティモードの切り替え、カード装着時の動作、パスワードの設定解除は第１の実施形態と同様であるため説明を省略する。コピー時の制御は第１の実施形態と差異のある部分のみ説明を行う。
【００６０】
コピー時の制御全体に関しては第１の実施形態と同様であるため、説明を省略する。図５を参照し、セキュリティ判定の詳細を説明する。
【００６１】
まず、コピー元カードおよびコピー先カードのいずれかが「パスワード設定済状態かつロック設定済状態」の場合（判定５１１）に、「コピーできません」というメッセージを通知し（処理５１５）、コピー不可と判定する（処理５１６）。
【００６２】
次に、コピー元カードとコピー先カードのパスワード設定状態とロック設定状態が同じ場合（判定５１２）に、特にメッセージを通知せず（処理５１７）、コピー可能と判定する（処理５１８）。次に、コピー元カードが「パスワード設定済状態かつロック未設定状態」の場合（判定５１３）に、「セキュリティ設定が異なるためコピーできません」というメッセージを通知し（処理５１９）、コピー不可と判定する（処理５２０）。次に、コピー先カードが「パスワード設定済状態かつロック未設定状態」の場合（判定５１４）に、「セキュリティ設定が異なるためコピーできません」というメッセージを通知し（処理５１２）、コピー不可と判定する（処理５２２）。
【００６３】
上記のセキュリティ判定の詳細を図で表すと図６のように表わされる。
【００６４】
また、いままでコピー機能について説明を行ってきたが、一方のカードに記録された画像データを一度復号化して、他の画像データの重畳や符号化量の変更を行いながら再度符号化して他方のカードに記録するトランスコード機能についても同様にトランスコード可否の判定とメッセージ通知を行う。その際は、コピー機能における「コピーできません」通知は「トランスコードできません」通知となる。他の通知も同様である。
【００６５】
このように、本実施形態では、一方のカードに記録された画像データを他方のカードにコピー／トランスコードする際に、２つのカードのパスワード設定状態とロック設定状態に応じてメッセージの通知やコピー／トランスコード可否判定を行う。具体的には、コピー元／トランスコード元カードがパスワード設定済状態かつロック未設定状態で、コピー先／トランスコード先カードがパスワード未設定状態かつロック未設定状態の場合に「セキュリティ設定が異なるためコピー／トランスコードできません」とメッセージ通知してコピー／トランスコード不可と判定する。
【００６６】
これにより、使用者が保護したいと考えている画像データをセキュリティ保護していないカードにコピー／トランスコードすることを使用者に対して通知することができ、不用意にコピー／トランスコードすることを防止することができる。
【００６７】
［第３の実施形態］
次に、第３の実施形態を説明する。第１の実施形態ではコピー元／トランスコード元カードがパスワード設定済状態かつロック未設定状態で、コピー先／トランスコード先カードがパスワード未設定状態かつロック未設定状態の場合に「セキュリティ保護していないカードにコピー／トランスコードします」とメッセージ通知してコピー／トランスコード可能と判定していたが、第３の実施形態ではコピー元／トランスコード元カードがパスワード設定済状態かつロック未設定状態で、コピー先／トランスコード先カードがパスワード未設定状態かつロック未設定状態の場合にコピー先／トランスコード先カードにパスワードを設定してコピー／トランスコード可能と判定する。各説明において、第１の実施形態と同様の箇所の説明は省略する。
【００６８】
第３の実施形態に係る記録装置の構成は、第１の実施形態に係る記録装置の構成と同一であるため、その説明を省略する。
【００６９】
以降に、記録装置の具体的な動作を説明していく。セキュリティモードの切り替え、カード装着時の動作、パスワードの設定解除は第１の実施形態と同様であるため説明を省略する。コピー時の制御は第１の実施形態と差異のある部分のみ説明を行う。
【００７０】
コピー時の制御全体に関しては第１の実施形態と同様であるため、説明を省略する。図７を参照し、セキュリティ判定の詳細を説明する。
【００７１】
まず、コピー元カードおよびコピー先カードのいずれかが「パスワード設定済状態かつロック設定済状態」の場合（判定７１１）に、「コピーできません」というメッセージを通知し（処理７１５）、コピー不可と判定する（処理７１６）。
【００７２】
次に、コピー元カードとコピー先カードのパスワード設定状態とロック設定状態が同じ場合（判定７１２）に、特にメッセージを通知せず（処理７１７）、コピー可能と判定する（処理７１８）。次に、コピー元カードが「パスワード設定済状態かつロック未設定状態」の場合（判定７１３）に、コピー先カードにパスワード設定して良いかユーザーに問い合わせ（判定７１９）、パスワード設定して良い場合はパスワード設定処理（処理７２０）へと遷移し、パスワード設定してはいけない場合はコピー不可と判定する（処理７２３）。
【００７３】
パスワード設定処理の結果（判定７２１）、パスワード設定に成功した場合はコピー可と判定し（処理７２２）、パスワード設定に失敗した場合はコピー不可と判定する（処理７２３）。次に、コピー先カードが「パスワード設定済状態かつロック未設定状態」の場合（判定７１４）に、コピー先カードにパスワード解除して良いかユーザーに問い合わせ（判定７２４）、パスワード解除して良い場合はパスワード設定処理（処理７２５）へと遷移し、パスワード解除してはいけない場合はコピー不可と判定する（処理７２８）。パスワード解除処理の結果（判定７２１）、パスワード解除に成功した場合はコピー可と判定し（処理７２７）、パスワード解除に失敗した場合はコピー不可と判定する（処理７２８）。
【００７４】
上記のセキュリティ判定の詳細を図で表すと図８のように表わされる。また、いままでコピー機能について説明を行ってきたが、一方のカードに記録された画像データを一度復号化して、他の画像データの重畳や符号化量の変更を行いながら再度符号化して他方のカードに記録するトランスコード機能についても同様にトランスコード可否の判定とメッセージ通知およびパスワード設定／解除処理を行う。その際は、コピー機能における「コピーできません」通知は「トランスコードできません」通知となる。他の通知も同様である。
【００７５】
このように、本実施形態では、一方のカードに記録された画像データを他方のカードにコピー／トランスコードする際に、２つのカードのパスワード設定状態とロック設定状態に応じてメッセージの通知やコピー／トランスコード可否判定を行う。具体的には、コピー元／トランスコード元カードがパスワード設定済状態かつロック未設定状態で、コピー先／トランスコード先カードがパスワード未設定状態かつロック未設定状態の場合にコピー先／トランスコード先カードにパスワードを設定してコピー／トランスコード可能と判定する。
【００７６】
これにより、使用者が保護したいと考えている画像データをセキュリティ保護していないカードにコピー／トランスコードすることを使用者に対して通知することができ、不用意にコピー／トランスコードすることを防止することができる。
【００７７】
また、コピー元／トランスコード元カードがパスワード未設定状態かつロック未設定状態で、コピー先／トランスコード先カードがパスワード設定済状態かつロック未設定状態の場合にコピー先／トランスコード先カードのパスワードを解除してコピー／トランスコード可能と判定する。これにより、使用者が保護しなくて良いと考えている画像データをセキュリティ保護しているカードにコピー／トランスコードする際に、コピー／トランスコード後の画像データの利便性を向上させることができる。
【００７８】
［他の実施形態］
本発明は上述の実施形態に限られるものではなく、この発明の要旨を逸脱しない範囲の様々な実施形態も本発明に含まれる。上述の実施形態の一部を適宜組み合わせてもよい。
【００７９】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８０】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８１】
その場合、プログラムの機能を有していれば、オブジェクトコード、インタプリタにより実行されるプログラム、ＯＳに供給するスクリプトデータ等、プログラムの形態を問わない。
【００８２】
プログラムを供給するための記録媒体としては、例えば、ハードディスク、磁気テープ等の磁気記録媒体、光／光磁気記憶媒体、不揮発性の半導体メモリでもよい。
【００８３】
また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【符号の説明】
【００８４】
１０１  制御部
１０２  セキュリティ制御部
１０３  コピー制御部
１０４  記憶部
１０５  操作部
１０６  操作制御部
１０７  表示部
１０８  表示制御部
１０９  記録媒体制御部
１１０  記録媒体Ａ
１１１  記録媒体Ｂ
１１２  データバス
１１３  トランスコード制御部
【図１】
2018025835.tif 000003
【図２Ａ】
2018025835.tif 000004
【図２Ｂ】
2018025835.tif 000005
【図２Ｃ】
2018025835.tif 000006
【図２Ｄ】
2018025835.tif 000007
【図２Ｅ】
2018025835.tif 000008
【図３Ａ】
2018025835.tif 000009
【図３Ｂ】
2018025835.tif 000010
【図４】
2018025835.tif 000011
【図５】
2018025835.tif 000012
【図６】
2018025835.tif 000013
【図７】
2018025835.tif 000014
【図８】
2018025835.tif 000015